(57)【特許請求の範囲】
【請求項１】
通気性のある支持体と、この支持体に積層された含水ゲルとを備え、上記含水ゲルの膏体内に、有機系天然素材着色剤である、アカキャベツ色素、アカゴメ色素、アカダイコン色素、アカビート色素、アトナー色素、ウコン色素、エルダーベリー色素、カカオ色素、カキ色素、カロテン色素、クチナシ青色素、クチナシ赤色素、クチナシ黄色素、シソ色素、トウガラシ色素、ブドウ果汁色素、ブドウ果皮色素、ベニコウジ色素、ベニコウジ黄色素、ベニバナ黄色素、ムラサキイモ色素、ムラサキトウモロコシ色素から選ばれる１または複数の着色剤を加え、上記含水ゲル膏体内の水分量とｐＨの変化により、経時的に上記含水ゲルの膏体が変色するようにしたことを特徴とする変色ゲルシート。
【請求項２】
通気性のある支持体と、この支持体に積層された含水ゲルとを備え、上記含水ゲルの膏体内に、有機系天然素材着色剤であるコチニール色素及び／又はラック色素を用い、上記含水ゲル膏体内のｐHの変化又は体内からの分泌液のタンパク質と接触することで変色することを特徴とする変色ゲルシート。
【請求項３】
上記着色剤は、発色の異なる複数の着色剤や、変色条件の違う複数の着色剤を組み合わせたものであることを特徴とする請求項１または２記載の変色ゲルシート。
【発明の詳細な説明】
【０００１】
【発明の属する技術分野】
この発明は、保湿や冷却等に用いる含水ゲルを有した変色ゲルシートに関する。
【０００２】
【従来の技術】
従来、体に貼付する冷却用の高含水ゲルシートは、貼付後体温等により膏体内の水分が飛散し、冷却効果がなくなると貼り替えを行っていた。その外、水分の飛散により含水ゲル膏体の粘着力が低下し、体表面から剥離し落下するなどの場合にも貼り替えを行っていた。
【０００３】
【発明が解決しようとする課題】
上記従来の技術の高含水ゲルシートは、効果的に機能が持続する時間（以下、「持続時間」という。）が人によって様々であり、持続時間中はゲルシートを貼付しておくことが求められている。しかし、上記従来技術の場合、貼付時間が既定のものであったり、貼付者の独自の感覚で貼り替えが行われることにより、まだ効果があるにもかかわらず貼り替えたり、効果がなくなっても貼り続けていたりして、持続時間に関係なく貼り替えが行われていたという問題点があった。
【０００４】
この発明は、上記従来技術の問題点に鑑みてなされたものであり、有機系天然素材の着色剤を加えることにより、着色剤の変色という事実に基づいて取替時期を知らせ、効果的な貼り替えが可能な変色ゲルシートを提供することを目的とする。
【０００５】
【課題を解決するための手段】
この発明は、通気性のある支持体と、この支持体に積層された含水ゲルとを備え、上記含水ゲルの膏体内に有機系天然素材着色剤を加え、経時的に変色可能とした変色ゲルシートである。上記着色剤は、上記含水ゲル膏体内の水分量やｐＨの変化、又は体内からの分泌液と接触することで変色する。また、上記着色剤は、発色の異なる複数の着色剤や、変色条件の違う複数の着色剤を組み合わせたものでもよい。
【０００６】
この発明に使用する着色剤としては、任意のｐＨの範囲内でのみ発色する着色剤として、アカキャベツ色素、アカゴメ色素、アカダイコン色素、アカビート色素、アトナー色素、ウコン色素、エルダーベリー色素、カカオ色素、カキ色素、カロテン色素、クチナシ青色素、クチナシ赤色素、クチナシ黄色素、シソ色素、トウガラシ色素、ブドウ果汁色素、ブドウ果皮色素、ベニコウジ色素、ベニコウジ黄色素、ベニバナ黄色素、ムラサキイモ色素、ムラサキトウモロコシ色素などがある。また、ｐＨの変化又はタンパク質と反応して発色の色を変える着色剤として、コチニール色素、ラック色素などを用いることができる。
【０００７】
この発明は、着色剤が膏体内の水分の飛散によりｐＨが変化することによって、膏体の色が変化し貼り替え時期を知らせる。または、体内から出てきた分泌液内のタンパク質と接触することによる膏体の色の変化により、貼り替え時期の目安となる。
【０００８】
この発明において、上記着色剤は、膏体内の水分量の変化により発生するｐＨの変化、又は汗等とともに出てくる体液などと接触することによって変色するものであれば良く、変化前の色、変化後の色を確認し、適宜ブレンドして好ましい色を作ることができる。
【０００９】
また上記含水ゲルは、ポリビニルアルコール、ポリビニルピロリドン、カルボキシメチルセルロースナトリウム、またはポリアクリル酸ナトリウム等から選ばれた１または複数の合成高分子１〜２０％、水分５０〜８０％を適宜含むものである。
【００１０】
【発明の実施の形態】
以下、この発明の実施の形態について図面に基づいて説明する。図１、図２はこの発明の一実施形態を示すもので、この実施形態の変色ゲルシート１０は、支持体１に膏体層２が形成され、膏体層２は剥離フィルム３により覆われている。支持体1はゲル膏体層の浸潤がなく、貼付しやすさや剥がしやすさに必要な剛性と柔軟性を有するものであれば良く、不織布や織布等の通気性のあるものであれば、どのような材料でも使用できる。例えば、天然素材の不織布や合成繊維を用いた不織布が考えられる。剥離フィルム３は、通気性のない合成樹脂フィルムにより構成され、この発明においては特に制限はなく、公知のものを用い得る。
【００１１】
支持体１、ゲル膏体層２及び剥離フィルム３の積層体は、通常は平面形状が楕円形にされるが、円形や四角形、種々の多角形などの任意の形状をとることができる。
【００１２】
この実施形態の含水ゲルシート１０は、アルミパウチ等により4方シールにて外気との接触をなくし、水分揮発を防止する密封容器に入れて輸送、保管するのが好ましい。
【００１３】
次に、この実施形態の含水ゲルシート１の使用方法を説明する。使用に際してまず、剥離フィルム３を剥がし、ゲル膏体層２を貼付したい身体の部位に押しあててシワにならないように貼付する。貼付後時間の経過とともに、ゲル膏体層２内の水分が水蒸気となり蒸発していく。ゲル膏体層２内の水分が減少することにより、ゲル膏体層２内のｐＨが変化し、それによってゲル膏体内に含まれる着色剤が変色する。そして、このゲル膏体層２の所定の色への変色を確認して貼り替えを行う。
【００１４】
なお、この発明の変色ゲルシートは、上記各実施形態に限定されるものではなく、不織布は、親水性非親水性を問わない。さらに、不織布は親水性繊維のものと疎水性繊維のものを積層したものでも良く、表面側に疎水性繊維の不織布を積層しておくと、表面を触ってもべたつきがない変色ゲルシートとすることができる。
【００１５】
【実施例】
次に、この発明の実施例について説明する。表1はこの発明の一実施例に係わる含水ゲルシートの膏体配合量を示すものである。
【００１６】
【表１】
0003866999.tif 000002
【００１７】
この実施例に使用している着色剤は、ヤエガキ醗酵技研株式会社にて製造販売されている食品添加物
着色料製剤 メロン色D（クチナシ青色素とベニコウジ黄色素の混合品）と、同メーカー商品群のうちｐＨの変化又は体液内のタンパク質と接触して色が変わるスターレッドKL（コチニール色素）を配合したものである。
【００１８】
メロン色Dは、緑色となる。これにｐＨの変化及び体液と反応して色が変わるスターレッドKLを配合したもので両方の色が重なり、貼付前は、ｐＨが4.9付近で淡茶色を呈している。それが水分の減少によりｐＨ5.1で桃色を呈するようになる。人により、体液中のタンパク質と反応して赤色が濃くなる場合がある。
【００１９】
上記配合比率にて作成した含水ゲルシートを6名の被験者に対し6時間貼付した結果は下記のとおりである。
試験日  ：  平成14年2月15日
被験者  ：
20代男性：3名、30代男性：2名、40代男性：1名（計6名）
試験方法：  サンプルを足の裏に6時間貼付し確認した。
試験結果を表２に示す。
【００２０】
ゲル膏体色の変化は下記のとおりである。
【表２】
0003866999.tif 000003
【００２１】
試験結果に対する考察
全員が茶系統の色から淡桃色〜淡赤色の変色が起こり、1時間貼付後に4名が変色し、5時間貼付後に2名が変色している。この中で淡桃色に変化しているものはｐＨの変化により色が変わったものであり、桃色又は赤色に変化しているものは体液と反応して赤みが強まったと判断される。
【００２２】
【発明の効果】
この発明の変色ゲルシートは、張り替え時期を目で確認することができ、これまで以上に効果的な使用状態を維持することができる。そしてこれにより、無駄な張り替えや効果のない貼付を防止することができる。
【図面の簡単な説明】
【図１】  この発明の一実施形態の変色ゲルシートの図２のＩ−Ｉ線断面図である。
【図２】  この実施形態の変色ゲルシートの平面図である。
【符号の説明】
１  支持体
２  含水ゲル層
３  樹脂フィルム
１０  含水ゲルシート
【図１】
0003866999.tif 000004
【図２】
0003866999.tif 000005